(57)【要約】【課題】本発明は、給水装置に係わり、特に家庭用井戸水ポンプの運転制御に関する。井戸ポンプ装置単体において、装置の運転開始までの時間と、運転を行う時間を設定可能とし、設定された時間経過後に運転を開始し、同じく設定された時間だけ運転を行う機能を具備したポンプ装置を提供することが課題である。【解決手段】操作・表示手段を具備し、運転動作の選択及び切り替えと、タイマー運転時の時間設定を可能とし、通常運転時は、検知された圧力を元に運転の開始、停止を自動的に行う運転制御から、設定された時間データをカウントし、運転の開始及び停止を行ういわゆるタイマー運転制御に切り替えることで実現可能となる。【選択図】図５
2019031926.tif 000002
【特許請求の範囲】
【請求項１】
水が汲み上げられる給水部と、円盤状の外形で表面に放射状に溝の切ってある羽根車と、前記羽根車が内部に取り付けられるケーシング部と、前記羽根車をシャフトを介して回転させるモーターと、前記モーターを回転させ前記羽根車を高速回転させることにより、ケ前記ケーシング部内に満たされている清水に過流を発生させることにより前記給水部から水を汲み上げつつ、吐き出し側へ水を圧送し押し上げる吐出部と、前記吐出部に取り付けられ、汲み上げた水を一定量ためることが可能な圧力タンクと、吐き出し側の水圧を検知する圧力検知手段と、前記吐き出し側に圧送される流水の水量を検知する水量検知手段と、前記モーターの回転数を検知する回転数検知手段と、ポンプ装置に流れる電流を検知する電流検知手段と、前記ケーシング部の外壁に取り付けられ、温度によって電気抵抗が変化するサーミスタからの電気信号を元に温度を検知する温度検知手段と、前記それぞれの検知手段にて検知された情報を元に、所望する前記吐き出し側圧力が得られるように、モーターの回転数を増減させるモーター制御手段と、装置の起動及び停止や各種設定を行う為に複数のボタンで構成される操作手段と、装置の状態や検知した圧力や水量を表示する表示手段と、前記それぞれの検知手段又は操作手段から入力される情報を元に前記表示手段へ表示する情報を制御する操作・表示制御手段を有し、
前記それぞれの操作手段による運転制御の切り替え操作を行うことにより、所定の時間経過後に検知される圧力が運転開始圧以下であれば運転を開始し、所定の時間だけ運転を行い、検知圧力が運転停止圧以上にならなくても所定の時間が経過したら運転を停止し、このポンプ装置の運転開始までの時間および運転時間をそれぞれ定められた所定の時間毎に制御するタイマー運転動作を行うことを特徴とする、井戸ポンプ装置。
【請求項２】
前記運転開始までの時間及び運転時間は、前記表示手段に数値データとして表示し、前記数値データは前記操作手段により増減可能とし、任意の値に設定された前記数値データを記憶する記憶手段を具備し、前記記憶手段に記憶されている運転開始までの時間及び運転時間を参照してタイマー運転動作を行うことを特徴とする、請求項１に記載の井戸ポンプ装置。
【請求項３】
データを数値データとして記憶可能かつ読み出し可能な記憶手段をさらに有し、タイマー運転動作の運転開始時間及び運転時間の設定時は、前記記憶手段のデータを設定された値に更新して記憶し、記憶された数値データは必要に応じて読み出すことが可能であり、前記表示手段へ表示することが可能な、請求項１又は２に記載の井戸ポンプ装置。
【請求項４】
タイマー運転動作中は、タイマーがカウントしているデータを数値データとして前記表示手段へ周期的に表示させ、運転開始までの残り時間又は運転時間の残り時間を数値として表示させることにより、タイマーのカウント動作を外部から確認可能とした、請求項１乃至３のいずれか１項に記載の井戸ポンプ装置。
【請求項５】
前記ポンプ装置外に設置したスイッチ又はセンサからの電気信号を入力するため、又は前記ポンプ装置の運転状態を電気信号として外部へ出力することが可能な外部信号入出力手段を具備し、タイマー運転動作の開始及び停止をポンプ装置外部からの電気信号を与えて制御可能なことを特徴とする、請求項１乃至４のいずれか１項に記載の井戸ポンプ装置。
【発明の詳細な説明】
【技術分野】
【０００１】
本発明は、給水装置に係り、特に電気式の家庭用井戸ポンプ装置およびその運転方法に関する。
【背景技術】
【０００２】
従来の技術は、例えば特開２００４−２４５１５９号公報、特開平０７−０９５８２８号公報では、電動開閉弁あるいは電磁弁を、設定した時間で開閉制御することにより、水の供給、停止を可能とした自動給水装置が発明されている。
【０００３】
また、特開２００２−００５０３１号公報では、必要な時間帯に必要な圧力で自動的に運転できるようにするために、ポンプ装置とは別にカレンダー回路、クロック回路、時間等の設定手段を主な構成要素とした農・園芸用ポンプの制御装置が発明されている。
【先行技術文献】
【特許文献】
【０００４】
【特許文献１】特開２００４−２４５１５９号公報
【特許文献２】特開平０７−０９５８２８号公報
【特許文献３】特開２００２−００５０３１号公報
【発明の概要】
【発明が解決しようとする課題】
【０００５】
従来の技術は、例えば特開２００４−２４５１５９、特開平０７−０９５８２８の給水装置においては、配管上に取り付けれた電動開閉弁あるいは電磁弁を設定した時間毎に開閉すること、すなわちタイマー運転で所定量の水を得ることを特徴とした給水装置であり、タイマー運転を行うための操作手段、設定手段、表示手段は、水を圧送するポンプ装置と一体化することは考慮されていない。他の事例である特開２００２−００５０３１も同様に揚水能力を具備したポンプ装置と一体化することは考慮されていない。
【０００６】
他の事例である特開２００２−００５０３１では、モーターを回転させて揚水するポンプ装置とは別に、操作部、時間の設定手段を必要とすることから、給水装置の製造コストあるいは装置の大きさ、重量からくる設置場所が限られる可能性もある。
【０００７】
また、給水装置自体の用途が限定されてしまう可能性がある。
【０００８】
一般的に井戸ポンプ装置は、配管上に取り付けられた水栓あるいは弁が開かれ水が使用されたことを圧力センサあるいは流量センサ等の検知結果を元に推測し、ポンプ装置の運転を自動的に開始し、同様に水栓あるいは弁が閉じられたことを前記センサ等の検知結果により水の使用を止めたことを推測し、運転を自動的に停止するといった動作をする。
【０００９】
このような、一般的な井戸ポンプ装置を用いて、一定時間後に井戸ポンプ装置を運転し、配管部末端へ水を圧送し、一定時間後に運転を停止するような給水動作を得ようとする場合、ポンプ装置とは別に、配管上に取り付けられた水栓、弁等を所定の時間毎に開閉あるいはオンオフ制御する必要があり、実現するには、ポンプ装置単体とは別に、制御可能な電磁弁あるいは開閉弁、時間の設定手段、表示手段、時間の計測手段を必要であることから、コスト的に不利であることは自明である。
【００１０】
以上のように、ポンプ装置は所定量の水を配管の末端まで圧送することが主な目的であり、運転の開始及び停止は、圧力センサー、水量センサー等の検知結果を元に配管の末端部で水が使用されたと判断し、吐き出し水量を保つために自動的に運転を行うことが一般的である。しかしながら、ユーザーが井戸ポンプ装置を用いた独自の給水装置および仕組みを構築することが予想され、ポンプ装置は多様な用途に対応した運転制御を提供することが課題となる。
【課題を解決するための手段】
【００１１】
上記の課題を解決するため、本発明は特許請求の範囲に記載の構成を有する。
【発明の効果】
【００１２】
本発明によれば、水量センサ、圧力センサ等からの入力信号により、配管末端部での水の使用を察知し、吐き出し側水量を一定に保つように装置のモーターを駆動するといった一般的な運転方法を、設定された所定時間後に運転を開始し、設定された所定時間の運転後停止するといったタイマー運転動作への切り替えを、ポンプ装置単体で実現可能であることから、ユーザーに対して多様なポンプ装置の使用方法を提供可能である。また、ポンプ装置とは別に、時間の設定手段、表示手段、時間の計測手段であるタイマー装置を必要としないため、コスト的に有利である。
【図面の簡単な説明】
【００１３】
【図１】本発明の実施の形態の一例のポンプ装置の概略図
【図２】本発明の実施の形態の一例のポンプ装置のブロック図
【図３】本発明の実施の形態の一例の操作及び表示コントローラの図
【図４】ポンプ装置制御プログラム全体の流れ図
【図５】ポンプ装置の運転制御処理の流れ図
【発明を実施するための形態】
【００１４】
以下、本発明の一実施例について図面を用いて詳細に説明する。
【実施例１】
【００１５】
図１は本発明の一実施例であるポンプ装置の構成概要を示す。
ポンプ装置本体は、制御用コントローラ３、操作コントローラ４、モーター１０、モーター１０よって回転する羽根車１３を覆うケーシング１１、ケーシング１１の外壁に取り付けられるサーミスタ３０、揚水された水を取り込む吸込口1、吸込口１から揚水された水の逆流を防ぐ逆止弁１２、取り込んだ水を吐き出す吐出口２、吐出し側の水圧を検知する圧力センサ６、吐き出し側の水量を検知する水量センサ７、使用水量の急変による圧力変化を緩和する圧力タンク５、ポンプ装置への給電を行う電源コード８、ポンプ装置を覆うポンプカバー９を主な構成部品としている。
【００１６】
図２は本発明のポンプ装置の操作及び表示手段である操作コントローラ４の図である。
操作コントローラ４は、発光素子であるＬＥＤの一種で、記号、数字、アルファベット等を表示することが可能な３桁の７セグメントＬＥＤ２２、ポンプ装置の運転開始及び停止を行う運転／停止スイッチ１５、標準運転とタイマー運転の２種類あるポンプ装置の運転動作の切り替えを行う運転モード（ＵＰ）スイッチ１６、標準運転が選択された場合に発光する標準ＬＥＤ１８、タイマー運転が選択された場合に発光するタイマーＬＥＤ１９、運転圧力の切替えを行う圧力切替（ＤＯＷＮ）スイッチ１７、切替え選択された圧力設定毎に発光する圧力設定"高"ＬＥＤ２０および圧力設定"標準"ＬＥＤ２１、ポンプ装置の異常停止状態からの復帰を行うリセットスイッチ１４から構成される。
【００１７】
また、運転モード（ＵＰ）スイッチ１６と、圧力切替（ＤＯＷＮ）スイッチ１７は、タイマー運転モードの時間設定状態においては、設定時間の増減に行う機能に切り替わることとする。
【００１８】
図３は、ポンプ装置の制御ブロック図を示す。
サーミスタ３０は温度センサであり、ポンプ装置のケーシング１１の温度を検出し、その出力信号は制御部３４のＡ/Ｄ変換器へ入力され、デジタルデータに変換された結果は最終的にワンチップマイクロコンピュータ３５内のＲＡＭへ格納される。制御部３４はあらかじめワンチップマイクロコンピュータ３５内のＲＯＭ内にデータとして設定されている複数の温度閾値データと前記ＲＡＭに格納されている変換結果の値を比較することにより、低温、高温等の温度異常の判定を行い、必要に応じて、表示手段へ警告表示させたり、自動的にモーター１０を停止あるいは駆動させたりする。圧力センサ６は吐出し側の水圧を検出する手段であり、水量センサ７は同じく吐出し側の流路を流れる水量を検出する手段である。検知結果は電気信号として制御部３４へ入力され、前記の温度センサと同様に最終的にワンチップマイクロコンピュータ３５内のＲＡＭへ格納される。制御部３４は、検知された圧力及び水量の変化に応じて自動的に駆動回路３６を介しモーター１０の回転数を変化させ、吐出し圧力が一定あるいは所定の圧力となるよう制御する。また、必要に応じて表示手段へ警告表示、検出した圧力値または流量を表示させる。電流センサ３１はポンプ装置に流れる電流を検知し、検出結果は電気信号として制御部３４へ入力され、制御部３４は電流値を監視し、所定の電流値以上となるとポンプ装置を保護する為、モーター１０の回転数を抑える。
【００１９】
次にホールＩＣ３２はモーター１０の回転子の位置検出に用いられるが、単位時間当たりの出力信号のエッジをカウントすることにより、速度即ち回転数が得られる。制御部３４は最適な回転数となるよう駆動回路３６を介し、モーター１０を制御する。
【００２０】
次に操作・表示手段３３は、図２の説明で述べたが、操作コントローラの形態となっており、制御部３４からの信号に応じて、表示手段へポンプ装置の状態を表示する。また、操作手段であるスイッチを押すことにより制御部３４へ入力される信号レベルは変化し、制御部３４はスイッチの状態を検知することが可能である。
【００２１】
制御部３４は、ＣＰＵ，ＲＯＭ，ＲＡＭ，タイマー，Ａ／Ｄ変換器等を内蔵するワンチップマイクロコンピュータ３５、モーター１０を駆動する駆動回路３６、ポンプ装置に流れる電流を検出する電流センサ３１、及び周辺回路から構成される。ポンプ装置の制御内容または運転制御および異常の判定等に用いられる固定的な閾値データはプログラムデータとして、ワンチップマイクロコンピュータ３５のＲＯＭ、またはＥＥＰＲＯＭ３７へ格納されている。
【００２２】
また、ＥＥＰＲＯＭ３７はデータを電気的に消去、書き込みが可能なＲＯＭであり、ワンチップマイクロコンピュ−タ３５は通信インターフェースを介し、操作・表示手段３３で設定した情報をデータとして書き込みを行うことで記憶し、または記憶されているデータを読み出すことが可能である。値の変更が可能な閾値データ等はＥＥＰＲＯＭ３７へ記憶される。
【００２３】
また、ＥＥＰＲＯＭ３７に代表されるデータを電気的に消去かつ書き込みが可能な不揮発性メモリを同一パッケージに内蔵し、通信インターフェースを不要としたタイプのワンチップマイクロコンピュータ３５を使用した構成としても良い。
【００２４】
次に本発明を実現するためのプログラムデータの概要を図４、図５を用いて説明する。
【００２５】
図４は、ポンプ装置の制御部３４に搭載されたワンチップマイクロコンピュータ３５のＲＯＭに組み込まれているポンプ装置の制御プログラムの概略である。図５はポンプ装置の運転動作制御処理の概要を示す。
【００２６】
まず、図４のポンプ装置の制御プログラムは、電源が立ち上がるとワンチップマイクロコンピュータ３５にリセットがかかり、ＲＯＭに記録されているプログラムに従い動作を開始する。以下記号順に説明する。
【００２７】
（ａ１)は、初期化処理であり、マイクロコンピューターのＩ／Ｏポート設定、内蔵レジスタの設定、タイマーの設定等を行う。また、ここでＥＥＰＲＯＭ３７からポンプ装置の運転に関する様々な設定データの読み出しも行い、読み出したデータは所定のＲＡＭにコピーされる。各種センサからの入力信号の取り込み、出力信号の出力等のプログラムを所定の周期で実行させるのに必要なタイマーを設定し動作を開始させる。通常はリセット毎に１度だけ行われる。
【００２８】
（ａ２）はセンシング処理であり、以下の処理を行っている。
【００２９】
表示・設定手段に設けられているスイッチからの入力信号、圧力センサ６、水量センサ７からの入力信号、電流センサ３１からの入力信号等を一定周期で検知し、検知結果をそれぞれに用意されたＲＡＭへ格納する。
【００３０】
また、圧力センサ６からの入力信号を元に、所定の周期で吐き出し側の圧力を算出し、結果を圧力データとして用意されたＲＡＭへ格納する。同様に水量センサ７からの入力信号を元に、所定の周期で吐き出し側の水量を算出し、結果を水量データとして用意されたＲＡＭへ格納する。
【００３１】
（ａ３）ポンプ運転動作制御処理であり、通常運転処理と、タイマー運転処理で構成される。通常運転処理は、センシング処理によって検知された各種センサの検知結果を元に、吐き出し側の圧力が設定されている制御目標圧となるよう、モーターの回転数を操作する処理が行われる。タイマー運転処理は、ユーザーによって設定された運転停止時間、運転時間の時間データを参照し、ワンチップマイクロコンピュータ３５に内蔵するタイマーを使用して設定した時間の計測を行い、ポンプ装置の停止及び運転の制御を行う。本発明の特長であるタイマー運転動作を行う処理は、通常運転動作処理に含まれる。詳細は後述する図５の説明による。
【００３２】
（ａ４）は表示処理であり、操作・表示手段３３に設けられた７セグメントＬＥＤ２２またはＬＥＤを介し、それらを消灯または点灯させることにより、ポンプ装置の状態、圧力または水量等の検知結果の表示等を行うため為の出力信号データを生成する。
【００３３】
図４において、（ａ２），（ａ３），（ａ４）は一定の周期を持って繰返し行われる処理である。
【００３４】
次に、図２の操作コントローラ４を用いた具体的な運転動作の選択方法及びタイマー運転の時間の設定の方法を説明する。
【００３５】
まず、本事例では、ポンプ装置の運転動作として、標準運転モードとタイマー運転モードの２種類の運転モードを選択可能としている。運転モード（ＵＰ）スイッチ１５を押す毎に、プログラムの内部では運転モード情報として割り当てられたＲＡＭの内容が変化し、運転モードの情報として識別可能としている。同時に、表示手段である標準ＬＥＤ１７あるいはタイマＬＥＤ（設定時点滅）ＬＥＤ１８を、運転モードの情報を元に、運転モードに対応したどちらかを点灯させる。タイマ(設定時点滅)ＬＥＤ１８が点灯状態で、運転／停止スイッチ１４を押されると、タイマー運転の制御が実行される。同様に標準ＬＥＤ１７点灯時は標準運転の制御が実行される。
【００３６】
次に、タイマー運転を実現するには、装置の運転停止時間と運転時間の二つの時間データを設定する必要があり、プログラム上に記述された運転時間の設定処理を実行させる必要がある。その実行方法の一例として、運転モードの選択に使用している運転モード（ＵＰ）スイッチ１５を、例えば３秒以上等の所定時間以上押し続けることにより運転時間の設定処理を実行させることとする。
【００３７】
運転時間の設定処理では、タイマ（設定時点滅）ＬＥＤ１８を点滅させることにより、処理が切り替わったことを認識可能としている。続いてポンプ装置の運転停止時間を決定するＯＦＦタイマーの時間を設定する。７セグＬＥＤ２１には”ＯＦＦ”と時間データの値を数字として、例えば”０“ならば”０”のように、交互に表示させてＯＦＦタイマーの設定中であることを認識できるように表示する。
【００３８】
ここで、運転モード（ＵＰ）スイッチ１５を押すと、設定値を加算し、圧力切替（ＤＯＷＮ）スイッチ１６を押すと、設定値を減算させる。同時に７セグＬＥＤ２１には設定値の内容に応じた数字を表示させる。ＯＦＦタイマーの時間を所望する時間に設定した後、あるいは設定処理を終了したい場合は、運転/停止スイッチ１４押すことでデータを確定し処理は終了する。引き続きポンプ装置の運転時間を決定するＯＮタイマーの時間設定処理が実行され、７セグＬＥＤ２１には”ｏｎ”と時間データの値が数字として、例えば“０”ならば“０”のように、交互に表示させてＯＮタイマーの設定中であることを認識できるように表示する。
【００３９】
ここで、運転モード（ＵＰ）スイッチ１５を押すと、設定値を加算し、圧力切替（ＤＯＷＮ）スイッチ１６を押すと、設定値を減算させる。同時に７セグＬＥＤには設定値の内容に応じた数字を表示させる。ＯＮタイマーの時間を所望する時間に設定した後、あるいは設定処理を終了したい場合は、運転/停止スイッチ１４押すことでデータを確定し処理は終了し、タイマ（設定時点滅）ＬＥＤ１８は、点灯状態となる。
【００４０】
設定値とは、停止時間の設定値または運転時間の設定値の２種類存在し、記憶手段であるＥＥＰＲＯＭ３７へ記憶されていて、通常時はＲＡＭへその値がコピーされておりプログラムにて実行される各種の処理で参照される。運転時間あるいは停止時間の設定処理においては、同ＲＡＭの内容を操作し、データの確定時には、ＥＥＰＲＯＭ３７の内容を同ＲＡＭの値に更新して記憶する。
【００４１】
以上より、所定時間の経過後にポンプ装置の運転を開始し、所定時間の運転を行い停止するといった動作を繰り返し行うようなタイマー運転動作に必要な時間の設定を、ポンプ装置に具備されたスイッチに代表される操作手段と７セグＬＥＤ２１及びＬＥＤに代表される表示手段を用いて実現可能としている。
【００４２】
次に、図５のポンプ装置の運転動作制御処理の流れ図を説明する。
【００４３】
（ｂ１）運転モードがタイマー運転モードであり、ＯＦＦタイマーのカウンタがカウント中の場合は、（ｂ２）へ。ＯＦＦタイマーのカウンタが停止中であれば、（ｂ４）へ。
【００４４】
（ｂ２）ＯＦＦタイマーがカウントアップした、即ち設定した停止時間が経過したか判定する。ＯＦＦタイマーがカウントアップした場合は、（ｂ３)へ。設定した停止時間経過してなければ（ｂ１４）へ分岐し処理を終了する。
【００４５】
（ｂ３）ＯＦＦタイマーがカウントアップしたので、運転を開始しようとする。この時、運転時間を決定するＯＮタイマーの設定時間をタイマカウンタにセットし、タイマーをスタートさせ、（ｂ８）へ。
【００４６】
（ｂ４）運転時間を計測するＯＮタイマーのタイマカウンタがカウント中であるか判定する。ＯＮタイマーのカウンタが停止中であれば、（ｂ８）へ。この場合、ＯＦＦタイマーとＯＮタイマーは動作していないことになるので、運転モードがタイマー運転モードであっても、通常の運転制御処理となる。
【００４７】
また、ＯＮタイマーのタイマカウンタがカウント中であれば（ｂ５）へ。
【００４８】
（ｂ５）ＯＮタイマーがカウントアップした、即ち設定した運転時間が経過したか判定する。ＯＮタイマーがカウントアップした場合は、（ｂ６）へ。カウントアップしていなければ、運転を継続するため（ｂ８）へ。
【００４９】
（ｂ６）設定した運転時間が経過したので、運転を停止しようとするが、装置の運転停止時間を計測するＯＦＦタイマーの設定時間をタイマカウンタにセットし、ＯＦＦタイマーのカウントを開始し、（ｂ７）へ。
【００５０】
（ｂ７）ポンプ装置の運転を停止させる処理である。具体的には、モーターの回転を停止し、揚水を停止することである。（ｂ１４）へ分岐し処理を終了する。
【００５１】
ここで、図に示すように（ｂ８）〜（ｂ１４）は、タイマー運転動作を除いた、通常運転動作の制御処理の内容でもあり、ポンプ装置は吐き出し側の圧力が所定の圧力である目標圧となるようにモーターを加減速する動作となる。
【００５２】
（ｂ８）ポンプ装置が、運転中か停止中か判定する。停止中ならば（ｂ９）へ。運転中ならば（ｂ１１）へ。
【００５３】
（ｂ９）ポンプ装置の運転開始の判定行う。具体的には吐き出し側に取り付けられた圧力センサの現在の検知結果である検知圧と、運転を開始する判定の閾値である起動圧を比較する。 起動圧＞検知圧 の関係が成立すれば、吐き出し側の水栓等が開かれていると判断し、運転を開始するために（ｂ７）へ。 不成立ならば所定の圧力以上の圧力であるため、吐き出し側の水栓が閉じられていると判断し、運転を開始せずに（ｂ１４）へ。
【００５４】
（ｂ１０）停止状態にあるポンプ装置のモーターを回転させ運転を開始し（ｂ１４)へ。
【００５５】
（ｂ１１）ポンプ装置が運転中の処理であり、圧力センサの現在の検知結果である検知圧が、制御する目標圧である目標圧と一致したか判定する。一致していない場合は（ｂ１２）へ。一致した場合は（ｂ１３）へ。制御する目標圧とは、ポンプ装置の仕様として定められた吐き出し側の圧力であり、閾値データとしてＲＯＭあるいは記憶手段であるＥＥＰＲＯＭに保有している。
【００５６】
（ｂ１２）制御する目標圧である目標圧と、圧力センサの現在の検知結果である検知圧を一致させるように、モーターの回転数を増減し、（ｂ１４）へ。
【００５７】
（ｂ１３）制御する目標圧である目標圧と、圧力センサの現在の検知結果である検知圧が一致状態あるいは、検知圧＞目標圧の関係にあるということは、吐き出し側の水栓あるいは弁が閉じられ、水の使用が停止された可能性が有る。従って、各種センサから得られる圧力、流量、電流、モーターの回転数等の結果を元にポンプ装置を停止させるための判定を行う。停止条件が成立した場合は（ｂ７）へ、不成立の場合は運転を継続するために（ｂ１４）へ。
【００５８】
（ｂ１４）は運転制御処理を終了し、他の処理への分岐を意味する。
【００５９】
以上より、本発明の事例における処理内容は、標準運転モードとタイマー運転モードの２種類の運転制御を実現可能であり、タイマー運転モードにおいては、時間データとして設定かつ記憶されたデータを読み出し、データをタイマカウンタへセットし、カウンタの値を参照することで、設定された時間後に運転を開始あるいは設定された時間後に運転を停止するといった、タイマー運転が可能となる。従って、本発明の事例では、ポンプ装置単体とは別に、吐き出し側の配管上に取り付けられた電動開閉弁、電磁弁等を必要としない構成であるため、ユーザーは吐き出し側の配管の末端に取り付けられた水栓あるいは弁等の開き具合を、所望する流量が得られる程度に開いておくことで、所定時間毎に所定水量を得ることが可能なタイマー運転動作を実現可能としている。
【００６０】
また、以上のタイマー運転の動作中は、設定された時間毎に給水及び給水停止を繰り返すこととなるが、動作中に意図的に吐き出し側に取り付けられた水栓を閉じて水の供給を停止した場合や配管の故障あるいはゴミ詰まり等が発生し、吐き出し側圧力が低下しない状態に陥っても、標準運転モードの処理を共有しているため、検知圧力が制御目標圧以上の場合は停止判定の処理が実行され、ポンプ装置は停止する。
【００６１】
また、図４の（ａ４）の表示処理にて、通常時は７セグメントＬＥＤ２２には検知される圧力情報を表示しているが、タイマー運転モードが選択され、タイマー運転でポンプ装置が動作している場合は、ＯＦＦ時間タイマーあるいはＯＮ時間タイマーの設定値ではなく、タイマーのカウントに使用しているタイマカウンタの値を読み出し、時間データとして表示させることで、カウントダウンまたはカウントアップの動作が外部から視認可能とすることを実現可能な請求項４記載のポンプ装置である。
【００６２】
また、他の発明の事例として、ワンチップマイクロコンピュータ３５を動作させるためのクロックとは別に、リアルタイムクロックを搭載することで、時計並みの時間精度で時刻指定によるタイマー運転を行うことも実現可能である。
【００６３】
また、入出力信号インターフェース３８を介して、ポンプ装置へ外部から電気的信号を与えて、ポンプ装置の動作を停止あるいは運転させることも容易に実現可能であり、例えば非常停止スイッチ等を取り付けることにより、より高機能な給水システムの構築が可能となる。
【符号の説明】
【００６４】
１・・・吸込口、２・・・吐出口、３・・・制御用コントローラ、４・・・操作コントローラ、５・・・圧力タンク、６・・・圧力センサ、７・・・水量センサ、８・・・電源コード、９・・・ポンプカバー、１０・・・モーター、１１・・・ケーシング、１２・・・逆止弁、１３・・・リセットスイッチ、１４・・・運転／停止スイッチ、１５・・・運転モード（ＵＰ）スイッチ、１６・・・圧力切替（ＤＯＷＮ）スイッチ、１７・・・標準ＬＥＤ、１８・・・タイマ(設定時点滅)ＬＥＤ、１９・・・ 圧力設定"高"ＬＥＤ、２０・・・ 圧力設定"標準"ＬＥＤ、２１・・・７セグメントＬＥＤ、３０・・・サーミスタ、３１・・・電流センサ、３２・・・ホールＩＣ、３３・・・操作・表示手段、３４・・・制御部、３５・・・ワンチップマイクロコンピュータ、３６・・・駆動回路、３７・・・ＥＥＰＲＯＭ、３８・・・入出力信号インターフェース、３９・・・入出力信号
【図１】
2019031926.tif 000003
【図２】
2019031926.tif 000004
【図３】
2019031926.tif 000005
【図４】
2019031926.tif 000006
【図５】
2019031926.tif 000007